(57)【特許請求の範囲】
【請求項１】
常時に外部電源から電力の供給を受けて充電されるとともに前記外部電源の異常時に防災用照明器具の光源部へ電力を供給する充放電可能な二次電池の点検機能を備えていない前記防災用照明器具に収納され、常時に前記外部電源から電力の供給を受けて充電されるとともに前記外部電源の異常時に前記防災用照明器具の前記光源部へ電力を供給する充放電可能な蓄電池部を備えた前記二次電池と交換可能な電源装置であって、前記防災用照明器具の点灯回路部が異常時に前記光源部へ供給する電力を前記外部電源からの電力から前記電源装置からの電力に切替制御するものであり、該点灯回路部に接続された電池線の係合コネクタと電気的に接続するコネクタと、前記蓄電池部の電池容量の点検を開始する点検開始信号を出力する点検開始入力部と、前記蓄電池部の点検のために該蓄電池部に電気的に接続される擬似負荷と、前記点検開始信号を受けて、前記防災用照明器具の前記点灯回路部から前記コネクタを介して供給される電力で行われる前記蓄電池部の充電を前記蓄電池部から前記擬似負荷への放電へと切り替えて、所定時間が経過したときの前記蓄電池部の電圧を測定し、該電圧と予め設定した所定の電圧とを比較することで前記蓄電池部の電池容量の適否を判断する判断部と、該判断部により制御され前記判断部で判断した点検結果を表示する表示モニタとを有することを特徴とする電源装置。
【請求項２】
請求項１に記載の電源装置と、前記光源部と、該光源部を点灯させる前記点灯回路部と、前記電源装置と前記光源部と前記点灯回路部を収納する器具本体と、該器具本体に取り付けられ前記光源部からの光に照射されるピクトグラムが表示された表示パネルとを備えたことを特徴とする防災用照明器具。
【請求項３】
複数個の防災用照明器具と接続でき、前記蓄電池部の点検を開始させる点検命令信号の送信および前記点検結果の受信を行う通信装置と、前記点検結果の表示を行う表示部とを備えた制御装置を有しており、該制御装置に接続される請求項２に記載の前記防災用照明器具の前記点検開始入力部は、前記制御装置からの前記点検命令信号により前記蓄電池部の点検を開始させ、前記表示モニタへ前記点検結果を表示させるとともに前記制御装置へ前記点検結果を送信することを特徴とする防災用照明システム。
【発明の詳細な説明】
【技術分野】
【０００１】
本発明は、常時に商用電源などの外部電源から電力の供給を受けて充電されるとともに、外部電源の異常時に防災用照明器具の光源部へ電力を供給する充放電可能な蓄電池部を備えた電源装置、それを用いた防災用照明器具および防災用照明システムに関するものである。
【背景技術】
【０００２】
従来より、建物などには、火災や地震などで外部電源に停電などの異常が発生した場合、避難方向や周囲の状況を把握できなくなり避難が困難になることを防止するため、避難通路の照度を確保する非常灯や避難方向を示す誘導灯が設けられている。
【０００３】
この種の非常灯や誘導灯などの防災用照明たる防災用照明器具は、内部に冷陰極ランプや発光ダイオードなどの光源部と、非常用電源として機能する二次電池とを備えている。防災用照明器具は、火災や地震などで外部電源に停電などの異常が発生した場合、光源部が自動的に点灯できるように二次電池側から光源部に給電できるように構成されている。これにより、防災用照明器具は、停電時や火災などで電線が焼け落ち外部電源から電力の供給が断たれた場合でも、内蔵する二次電池からの電力で光源部を自動的に点灯し、避難するための明るさを確保する。
【０００４】
このような防災用照明器具は、防火対象施設に設置されて運用される場合、防災用照明器具の性能が常に維持できるように、日本の消防法の消防用設備等及び建築基準法の建築設備として、関連法規に基づき、維持管理され、定期点検及び報告される必要がある。防災用照明たる防災用照明器具の点検項目は、多種類にわたるが、そのうちの１つの項目に、外部電源の異常時に非常点灯に切り替わることができるかを確認するものがある。
【０００５】
たとえば、一般的に普及している電源内蔵型の防災用照明器具では、防災用照明器具の内部に非常用の電源装置として二次電池を内蔵しており、常時に外部電源から電力の供給を受けて充電されるとともに、外部電源の供給が断たれると自動で内蔵している二次電池で光源部へ電力を供給する非常点灯に切り替わる。このような防災用照明器具は、たとえば、ニッケルカドミウム蓄電池などの二次電池が、繰り返し充放電できるように構成されている。また、防災用照明器具は、二次電池が防災用照明器具の非常用電源を接続させるための電池線とコネクタなどで電気的に接続されており、二次電池の寿命等の場合に交換可能な構造としてある。さらに、防災用照明器具には、引き紐が取り付けられた点検スイッチや押ボタン式の点検スイッチなどの点検開始入力部が設けられており、引き紐を引っ張っている間や押ボタンを押し続けている間、防災用照明器具が非常点灯に切り替わることによって、防災用照明器具の光源部が二次電池で点灯できるか、否かを簡単に点検することができる。
【０００６】
ところで、防災用照明器具たる誘導灯は、近年の消防法令の改正に伴い、非常点灯に切り替えた状態で所定時間、光源部が二次電池の電池容量だけで点灯を維持できるか否かを確認する確認試験も追加された。
【０００７】
上述の確認試験において、防災用照明器具の点検者は、所定時間の間、光源部が防災用照明器具に内蔵する二次電池の電池容量で確実に点灯を維持できるか確認する必要がある。そのため、防災用照明器具の点検者は、防災用照明器具の点検スイッチに付けられた引き紐を、上述の所定時間の間、連続して引き続ける。あるいは、防災用照明器具の点検者が、上述の所定時間の間、押ボタン式の点検スイッチを連続して押し続ける作業をしなければならず、大変苦労する作業となっている。たとえば、防災用照明器具の確認試験は、防災用照明器具である誘導灯１台当たり約２０分の時間を要し、防災用照明器具が多数設置される大規模な防火対象施設では、すべての防災用照明器具の点検にかかる工数と時間は相当なものになる。
【０００８】
そのため、上述の追加された確認試験に対応し、防災用照明器具は、手動スイッチやリモートコントローラでの操作による点検開始信号で、防災用照明器具自体が内蔵する二次電池により所定時間の間、光源部を点灯させ、上記確認試験の合格或いは不合格を判断する合否判断機能を有するものとすることが考えられる。
【０００９】
たとえば、図９に、常時に外部電源ＡＣから電力の供給を受けてランプたる光源部３０を点灯させる常用点灯部１１ｄと、常時に外部電源ＡＣから電力の供給を受けて充電されるとともに、外部電源ＡＣの異常時に光源部３０へ非常用点灯部１１ｅを介して電力を供給する充放電が可能な二次電池たる蓄電池部２と、防災用照明器具１０’とは別に設けられた制御装置４０と信号線４０ａによって接続された通信部９と、制御装置４０から通信部９を介して入力された点検を開始させる点検開始信号により蓄電池部２および光源部３０の点検を行い、点検結果を制御装置４０側に通信部９から戻す点検部１１ｃと、蓄電池部２の点検のために蓄電池部２に電気的に接続される擬似負荷６とを備え、点検部１１ｃが前記点検開始信号を受けて、蓄電池部２の充電を蓄電池部２から擬似負荷６への放電へと切り替えて、所定時間が経過したときの蓄電池部２の電圧を測定することにより蓄電池部２が適正か不適格かを判断する防災用照明器具１０’を用いた防災用照明システムが知られている（たとえば、特許文献１を参照。）。
【００１０】
このような自動点検機能を備えた防災用照明器具１０’により、点検者が防災用照明器具１０’を点検する作業性は向上し、最近取り付けられた自動点検機能を内蔵する防災用照明器具１０’では、点検が行いやすくなっている。
【先行技術文献】
【特許文献】
【００１１】
【特許文献１】特開２００６−４０７３２号公報
【発明の概要】
【発明が解決しようとする課題】
【００１２】
しかしながら、自動点検機能を備えていない古い形式の防災用照明器具が、世の中にはまだ多数設置されている。また、防火対象施設によっては、自動点検機能を備えた防災用照明器具と、自動点検機能を備えていない防災用照明器具とが混在する場合もある。自動点検機能を備えていない古い形式の防災用照明器具を、自動点検機能を備えた防災用照明器具に全て交換することが望ましいものの、既に設置された防災用照明器具を交換することは、設置場所やコストなどにより難しい場合もある。
【００１３】
その結果、自動点検機能を備えていない既設の防災用照明器具の点検作業性を向上させなければ、防火対象施設全体での防災用照明器具の点検作業効率を向上させることができないという問題がある。そのため、防災用照明器具の点検作業を効率化させ、点検作業の省力化を図ることが、防災用照明器具を効率的に運用することができ、防火対象施設全体の安全性を向上させるために必要となる。
【００１４】
本発明は上記事由に鑑みてなされたものであり、その目的は、防災用照明器具の点検作業を効率化させ、防火対象施設全体の安全性を向上させることが可能な電池電源、それを用いた防災用照明器具および防災用照明システムを提供することにある。
【課題を解決するための手段】
【００１５】
請求項１の発明は、常時に外部電源から電力の供給を受けて充電されるとともに前記外部電源の異常時に防災用照明器具の光源部へ電力を供給する充放電可能な二次電池の点検機能を備えていない前記防災用照明器具に収納され、常時に前記外部電源から電力の供給を受けて充電されるとともに前記外部電源の異常時に前記防災用照明器具の前記光源部へ電力を供給する充放電可能な蓄電池部を備えた前記二次電池と交換可能な電源装置であって、前記防災用照明器具の点灯回路部が異常時に前記光源部へ供給する電力を前記外部電源からの電力から前記電源装置からの電力に切替制御するものであり、該点灯回路部に接続された電池線の係合コネクタと電気的に接続するコネクタと、前記蓄電池部の電池容量の点検を開始する点検開始信号を出力する点検開始入力部と、前記蓄電池部の点検のために該蓄電池部に電気的に接続される擬似負荷と、前記点検開始信号を受けて、前記防災用照明器具の前記点灯回路部から前記コネクタを介して供給される電力で行われる前記蓄電池部の充電を前記蓄電池部から前記擬似負荷への放電へと切り替えて、所定時間が経過したときの前記蓄電池部の電圧を測定し、該電圧と予め設定した所定の電圧とを比較することで前記蓄電池部の電池容量の適否を判断する判断部と、該判断部により制御され前記判断部で判断した点検結果を表示する表示モニタとを有することを特徴とする。
【００１６】
この発明によれば、二次電池の点検機能を備えていない既設の防災用照明器具であっても、防災用照明器具の前記二次電池を蓄電池部の点検を行える電源装置と、単に、取り替えるだけで、既設の防災用照明器具の電池線を利用して、点検機能を設けることで、防災用照明器具の点検が効率化され作業効率を向上させることが可能な防災用照明器具用の電源装置とすることができる。
【００１７】
請求項２の発明は、請求項１に記載の電源装置と、前記光源部と、該光源部を点灯させる前記点灯回路部と、前記電源装置と前記光源部と前記点灯回路部を収納する器具本体と、該器具本体に取り付けられ前記光源部からの光に照射されるピクトグラムが表示された表示パネルとを備えたことを特徴とする。
【００１８】
この発明によれば、自動点検機能を備えた防災用照明器具と、自動点検機能を備えていない防災用照明器具とを任意に切り替えることができ、自動点検機能を備えていない防災用照明器具として防火対象施設などに設置した後であっても、電源装置の蓄電池部を点検する自動点検機能を追加することができる防災用照明器具とすることができる。
【００１９】
本願と別の発明は、常時に外部電源から電力の供給を受けて充電されるとともに、前記外部電源の異常時に防災用照明器具の光源部へ電力を供給する充放電可能な充放電が可能な蓄電池部と、該蓄電池部の電池容量の点検を開始する点検開始信号を出力する点検開始入力部と、前記点検開始信号の入力を受けて、前記蓄電池部に対して充電から前記光源部への放電へ切り替え、所定時間が経過したときの前記蓄電池部の電圧を測定して、該電圧と予め設定した所定の電圧とを比較することで前記蓄電池部の電池容量の状態を判断する判断部と、該判断部からの点検結果を表示する表示モニタとを有する電源装置と、防災用照明器具の光源部を点灯させる点灯回路部と、前記光源部、前記電源装置及び前記点灯回路部とを収納する器具本体と、該器具本体の一部に前記光源部からの光で照射されるピクトグラムが表示された表示パネルとを備えたことを特徴とする。
【００２０】
この発明によれば、光源部への放電へ切り替えて、蓄電池部の電池容量を確認するため、光源部および蓄電池部が適正か否かを同時に判断することが可能となる。
【００２１】
請求項３の発明は、複数個の防災用照明器具と接続でき、前記蓄電池部の点検を開始させる点検命令信号の送信および前記点検結果の受信を行う通信装置と、前記点検結果の表示を行う表示部とを備えた制御装置を有しており、該制御装置に接続される請求項２に記載の前記防災用照明器具の前記点検開始入力部は、前記制御装置からの前記点検命令信号により前記蓄電池部の点検を開始させ、前記表示モニタへ前記点検結果を表示させるとともに前記制御装置へ前記点検結果を送信することを特徴とする。
【００２２】
この発明によれば、制御装置が通信装置を、防災用照明器具が通信部を備えることにより、有線や無線などにより遠隔の防災用照明器具と通信でき、前記制御装置の点検開始信号に基づいて自動的に点検することができるため、点検作業をより効率化することが可能となる。
【発明の効果】
【００２３】
請求項１の発明は、防災用照明器具の点灯回路部に接続された電池線と電気的に接続する接続部と、蓄電池部の電池容量の点検を開始する点検開始信号を出力する点検開始入力部と、前記蓄電池部の点検のために該蓄電池部に電気的に接続される擬似負荷と、前記点検開始信号を受けて、前記接続部から供給される電力で行われる前記蓄電池部の充電を前記蓄電池部から前記擬似負荷への放電へと切り替えて、所定時間が経過したときの前記蓄電池部の電圧を測定し、該電圧と予め設定した所定の電圧とを比較することで前記蓄電池部の電池容量の適否を判断する判断部と、該判断部で判断した点検結果を表示する表示モニタとを有することで、既設の防災用照明器具の電池線に接続された二次電池と単に交換することにより、防災用照明器具の点検における作業性を向上させ、防火対象施設の安全性を維持することができるという顕著な効果がある。
【図面の簡単な説明】
【００２４】
【図１】実施形態１の電源装置を示し、（ａ）は概略説明図、（ｂ）はブロック図、（ｃ）は電源装置を備えた防災用照明器具の模式的説明図である。
【図２】実施形態２の別の電源装置を示し、（ａ）は概略説明図、（ｂ）はブロック図である。
【図３】実施形態３の電源装置を示し、（ａ）は概略説明図、（ｂ）は電源装置を備えた防災用照明器具の模式的斜視図である。
【図４】同上の別の電源装置を示す概略説明図である。
【図５】実施形態４の電源装置を示し、（ａ）は概略説明図、（ｂ）はブロック図である。
【図６】同上の別の電源装置を示し、（ａ）は概略説明図、（ｂ）はブロック図、（ｃ）は電源装置を備えた防災用照明器具の模式的斜視図である。
【図７】実施形態５の電源装置を示し、（ａ）は概略説明図、（ｂ）はブロック図、（ｃ）は電源装置を備えた防災用照明システムの模式的説明図である。
【図８】同上の別の電源装置のブロック図を示す。
【図９】従来の防災用照明器具のブロック図である。
【発明を実施するための形態】
【００２５】
（実施形態１）
以下、本実施形態の防災用照明器具に用いられる電源装置について、図１および図２に基づいて詳述する。まず、図１（ｃ）に、本実施形態の電源装置１が内蔵される誘導灯たる防災用照明器具１０について説明する。
【００２６】
図１（ｃ）に示す誘導灯たる防災用照明器具１０は、天井や壁などの造営材に取り付けられ、避難誘導用の標識として用いられるものである。防災用照明器具１０は、前面が開口され外形が薄箱状の器具本体１０ａを備えている。器具本体１０ａは、たとえば金属で形成され、上側壁（図１（ｃ）中の上側）において中央部には外部電源を供給するための電源線（図示していない）を器具本体１０ａの内部に導入するためのノックアウト１６ａが設けられ、このノックアウト１６ａを間にして左右方向の両側には固定螺子（図示していない）が挿通される螺子挿通孔１８がそれぞれ設けられている。また、器具本体１０ａの底面（後面）において中央部には、上記電源線を後面側から器具本体１０ａの内部に導入するためのノックアウト１６ｂが設けられ、このノックアウト１６ｂを間にして左右方向両側にも固定螺子（図示していない）が挿通される螺子挿通孔１８がそれぞれ設けられている。
【００２７】
すなわち、固定螺子を適宜に用いることによって、防災用照明器具１０を天井に取り付けることも、防災用照明器具１０を壁面に取り付けることもできる。
【００２８】
また、防災用照明器具１０の器具本体１０ａの両端部それぞれには、エンドカバー１０ｄを取り付けて構成している。防災用照明器具１０のエンドカバー１０ｄの内部側には、光源部３０となるランプを点灯させる安定器、非常点灯時に光源部３０へ供給する電力を外部電源から電源装置１に切替を制御する点灯回路部（図示していない）などが収納配置されている。
【００２９】
防災用照明器具１０の器具本体１０ａには、相対向するソケット１４間に光源部３０を架設し、光源部３０を覆うように器具本体１０ａの開口部に表示パネル（図示していない）を取り付けて構成することができる。表示パネルは、たとえば合成樹脂成形品であって略矩形板状に形成され、前面側には、たとえば印刷により避難経路を示す矢印などのピクトグラムが形成されている。ソケット１４の下部には、エンドカバー１０ｄ内部の安定器などを冷却する放熱用穴１０ｃが設けられている。また、器具本体１０ａの底板には、放熱用開口部１０ｂが形成されている。
【００３０】
さらに、防災用照明器具１０の器具本体１０ａの側壁からは、一端部が常時に外部電源で充電させ、外部電源の異常時に光源部３０に電力を供給させるように切り替える前記点灯回路部と接続された電池線１９ａが導出しており、電池線１９ａの他端部に外部電源の異常時に光源部３０に電力を供給する電源装置１と接続させる係合コネクタ１９が設けられている。
【００３１】
防災用照明器具１０の器具本体１０ａにおける一方のエンドカバー１０ｄの下側壁（図１（ｃ）中の下側）には、点検時に外部電源を遮断し電源装置１で光源部３０を点灯させるための点検スイッチ１１ａが設けられている。また、前記点灯回路部と電気的に接続された光源部３０の交換時期などを表示する表示部１１ｂ（たとえば、ＬＥＤ）が好適に設けられている。電源装置１は、防災用照明器具１０の器具本体１０ａの下側壁に配置され、電源装置１の電源コード３ａの先端部に設けられた係合コネクタ３が設けられている。防災用照明器具１０のエンドカバー１０ｄの側壁から導出した電池線１９ａの係合コネクタ１９と、電源装置１の電源コード３ａの先端部に設けられた係合コネクタ３とを係合して電気的に接続させることにより、外部電源の異常時に電源装置１からの電力を光源部３０に供給することができる。なお、この防災用照明器具１０には、内蔵された二次電池を点検する自動点検機能を内蔵していない。
【００３２】
ここで、本実施形態の電源装置１の電源コード３ａの先端部には、自動点検機能を内蔵していない防災用照明器具１０の既設の二次電池と交換ができるように前記二次電池の係合コネクタ３と同形状の係合コネクタ３を備えている。また、図１（ａ）で示すように電源装置１は、電池ボックス２ａと、点検機能ボックス４とを備えている。電池ボックス２ａには、複数個（ここでは、３個）の円筒状の二次電池を適宜の配線２ｂによって電気的に直列接続させた蓄電池部２と、該蓄電池部２と電気的に接続され、蓄電池部２が適正か否かを判断する判断部７と、を備えている。また、電池ボックス２ａの判断部７は、防災用照明器具１０の電池線１９ａの係合コネクタ１９と電気的に接続することができるように、係合コネクタ３を備えた電源コード３ａと接続している。同様に、電池ボックス２ａの判断部７は、点検コード４ａを介して電気的に接続された点検機能ボックス４と接続されている。点検機能ボックス４には、図１（ｂ）に示す、点検を開始する入力手段を備えた点検開始入力部５と、蓄電池部２から放電された電荷を消費する擬似負荷６と、判断部７によって判断された点検結果を表示する表示モニタ８とから構成されている。
【００３３】
なお、電池ボックス２ａ内の判断部７は、点検開始入力部５からの点検開始信号を受けて、蓄電池部２に対して充電から擬似負荷６への放電に切り替えて蓄電池部２が適正か不適正かを判断する。
【００３４】
ここで、点検開始入力部５は、リモートコントローラの受光部や点検スイッチ（図示していない）など、点検を開始する入力手段を備えている。また、判断部７は、点検開始入力部５からの点検開始信号の入力を受けて、蓄電池部２に対して充電から擬似負荷６への放電に切り替え、所定時間が経過した後の電圧を測定する。判断部７は、測定した測定電圧が、予め設定した規定の電圧以上であれば、適正と判断する。また、判断部７は、測定した測定電圧が、規定の電圧よりも低ければ、蓄電池部２が不適正である旨の判断を行い蓄電池部２の交換時期であることを表示モニタ８に表示させる。
【００３５】
本実施形態の電源装置１は、たとえば、図１（ｃ）に示す二次電池の点検機能を有しない既設の防災用照明器具１０から、防災用照明器具１０の前記点灯回路部と接続している電池線１９ａのコネクタ１９を既存の単なる二次電池のコネクタから取り外して前記二次電池を除去した後、前記二次電池の代わりに本実施形態の電源装置１のコネクタ３を接続させることで点検機能を内蔵した非常用点灯器具１０とすることができる。
【００３６】
防災用照明器具１０の電源装置１は、電源装置１に設けられた点検開始入力部５のスイッチ（図示していない）を手動でＯＮ状態としたり、別途に設けたリモートコントローラを用いて電源装置１に設けられた点検開始入力部５から点検を開始させる点検開始信号を出力させる。点検開始信号が入力された判断部７は、スイッチング素子（図示していない）を操作して、蓄電池部２の充電から擬似負荷６への放電するように切り替える。また、判断部７は、蓄電池部２を擬似負荷６に接続させてから、所定時間経過後の蓄電池部２の端子間電圧を計測して、蓄電池部２の電池容量を点検する。
【００３７】
ここで、蓄電池部２の電池容量を点検するための、所定時間とは、たとえば、蓄電池部２の電池容量Ａ（ｍＡ）は、流す電流Ｂ（ｍＡ）と、時間（ｈ）との積算で計算できるため、約２０分や約６０分でもよいし、より大電流を流すことで、前記所定時間を短くすることもできる。
【００３８】
また、擬似負荷６は、たとえば、消費電力の大きい抵抗器、ＬＥＤやブザーなどを使用することができる。擬似負荷６は、光源部３０を点灯させる代わりに擬似負荷６に電流を流すことによって、防災用照明器具１０に備えられる光源部３０の適正、あるいは、不適正とは無関係に蓄電池部２の適正あるいは、不適正かを判断することができる。擬似負荷６は、点検時間を所定の照明持続時間よりも長くして擬似負荷６に流れる電流を抑えることによって、擬似負荷６での定格電力を比較的小さく抑え、より小さな抵抗などにすることもできる。
【００３９】
また、点検結果の表示は、表示モニタ８として、たとえば、ＬＥＤや電球などを使用することができる。表示モニタ８として緑色ＬＥＤをモニタランプに使用する場合、たとえば、防災用照明器具１０の電源装置１の蓄電池部２が、適正であれば緑色ＬＥＤを点灯させる。蓄電池部２が外れるなどして、防災用照明器具１０と電気的に接続されていない場合は、緑色ＬＥＤを消灯させる。また、防災用照明器具１０における電源装置１での蓄電池部２の電池容量が十分ではなく、不適正であると判断部７が判断すれば、緑色ＬＥＤを点滅させることにより表示モニタ８として機能させることができる。表示モニタ８は、防災用照明器具１０の電源装置１の蓄電池部２が、適正か不適正であるかを見分けることができれば、発光色の異なる複数個のＬＥＤの色を変える他の動作でもかまわない。また、電源装置１は、表示モニタ８に加えて、ブザーなどの音源を備えて報知することもできる。
【００４０】
なお、防災用照明器具１０の前記点灯回路部は、たとえば、外部電源に接続されるトランスと、該トランスを介して入力される交流を直流に変換して蓄電池部２を充電する充電器と、直流を交流に変換するインバータと、前記トランスの接続点に対して、外部電源の交流装置内のスイッチング素子の制御を行うマイクロコンピュータとにより構成することができる。
【００４１】
このような防災用照明器具１０の前記点灯回路部は、図示しない検出器によって外部電源の停電が検出されると、前記点灯回路部のマイクロコンピュータにより前記充電器および双方向３端子サイリスタがオフにされ、インバータが起動する。これにより、蓄電池部２は充電状態から放電状態に転じるとともに放電された直流出力は、前記インバータにより交流に変換され前記トランスを介して冷陰極ランプたる光源部３０に供給される。
【００４２】
また、防災用照明器具１０の点検を開始する場合には、点検開始入力部５から点検を開始させる点検開始信号を送信する。前記点検開始信号を受信した判断部７は、蓄電池部２に対して充電から擬似負荷６への放電に前記スイッチング素子によって切り替える。蓄電池部２は、擬似負荷６への電気的な接続に加えて蓄電池部２の端子電圧を測定して、測定電圧と、蓄電池部２が過放電などにより高インピーダンス状態となる不良になった場合における予め記憶手段（図示していない）で記憶させておいた電圧と、判断部７のコンパレータで比較させる。該コンパレータで比較した結果、蓄電池部２の電圧が予め設定させた所定の電圧よりも低い場合は、蓄電池部２の不良で交換を要するものと判断して、判断部７の前記マイクロコンピュータから表示モニタ８たるＬＥＤの点灯回路を制御して表示を緑色の点灯から緑色の点滅となるように制御する。これにより、点検者は、表示モニタ８の表示が変わったことにより、防災用照明器具１０の電源装置１を交換する必要があることを認識して、電源装置１を交換させることができる。また、防災用照明器具１０の光源部３０とは別に電源装置１に擬似負荷６を備えてなることで、防災用照明器具１０の点検に伴い光源部３０の寿命が短くなることを抑制することもできる。
【００４３】
このような点検機能を内蔵した電源装置１は、自動点検機能を内蔵していない防災用照明器具１０が、２０分なり、３０分または、６０分間点灯スイッチ１１ａを点検者が押し続けてたり、引き紐を引っ張り続ける必要があったが、その手間を省けるようになり、防災用照明器具１０の点検作業を効率化することができる。また、従来あった点検機能付き防災用照明器具１０は、点検機能が搭載された防災用照明器具１０でしか点検できなかったが、本実施形態の電源装置１を使用すると、点検機能の搭載されてない既設の防災用照明器具１０の点検も効率化され作業効率がよくなる。
【００４４】
以下、本実施形態の防災用照明器具１０に用いられる各構成について、詳述する。
【００４５】
防災用照明器具１０に用いられる光源部３０は、外部電源の異常時に蓄電池部２で点灯可能なものであって、たとえば、直管形蛍光ランプ、コンパクト形蛍光ランプ、冷陰極ランプやＬＥＤなどを挙げることができる。このような光源部３０は、複数個設けてもよく１個でもよい。また、異なる種類の光源部３０を複数個配置させることもできる。たとえば、光源部３０としてＬＥＤを用いた場合は、１個のＬＥＤからの出力を導光体を介して表示パネルに面状に照射させてもよいし、複数個のＬＥＤを用いて面状に発光させることもできる。ＬＥＤを光源部３０として用いた場合は、補色となる光を発する複数種類のＬＥＤを組み合わせても用いてもよいし、青色光や紫外線を発するＬＥＤと、ＬＥＤからの光を吸収して異なる蛍光を発する蛍光体を備えた白色ＬＥＤを用いて構成することもできる。防災用照明器具１０として、非常灯を用いる場合は、外部電源が停電等になった場合に、誘導路を照明できればよい。
【００４６】
電源装置１に用いられる蓄電池部２は、ニッカド電池やニッケル水素電池などの二次電池を利用することができる。また、蓄電池部２は、一個の二次電池だけでもよいし、複数個の二次電池を直列、並列や直並列に接続させたものを用いてもよい。このような蓄電池部２は、単電池をニッケル板などで接続して各種配列に並べ、熱収縮チューブや樹脂ケースなどでパックし、リード線やコネクタ、タブ端子が結線された組電池として用いることもできる。二次電池の形状も円筒形状だけに限らず板形状など所望に応じて種々の形状のものを用いることができる。
【００４７】
本実施形態の点検開始入力部５は、防災用照明器具１０の点検を開始させる入力手段を備えたものであって、前記点検開始信号を出力可能な点検スイッチや外部のリモートコントローラからの無線や赤外線などを受けて、前記点検開始信号を出力可能な半導体受光素子などを用いることができる。また、点検開始入力部５の点検スイッチとしては、引き紐と結び付けられた機械的なスイッチを用いてもよい。
【００４８】
本実施形態の擬似負荷６は、蓄電池部２の状態を検査するために、蓄電池部２の放電時に給電されるものであって、蓄電池部２の点検のための、防災用照明器具１０の光源部３０とは別に、蓄電池部２から放電された電荷を消費するものである。擬似負荷６としては、たとえば、蓄電池部２の両端の電圧が検出することができるように、消費電力の大きい抵抗やＬＥＤなどを用いることができる。防災用照明器具１０として誘導灯を用い、擬似負荷６として、ＬＥＤを用いた場合は、ＬＥＤから、たとえば、青色光や赤色光を誘導灯の表示パネルに照射させることで、点検中であることを表示パネルを介して表示することもできる。たとえば、リモートコントローラで点検開始入力部５を制御する方式では、外部から防災用照明器具１０に前記点検開始信号を送付するだけで、前記表示パネルの色彩を判別して蓄電池部２の交換の要否を判断することもできる。
【００４９】
本実施形態の判断部７は、点検開始入力部５からの点検開始信号の入力を受けて、内蔵する蓄電池部２に対して充電から擬似負荷６への放電へ切り替え、たとえば、所定時間が経過したときの蓄電池部２の端子間の電圧を測定して、測定した電圧が、蓄電池部２が適正値となる予め規定した所定の電圧以上であれば、表示モニタ８に蓄電池部２が適正である表示を行い、蓄電池部２の端子間の測定電圧が、予め規定の電圧ならば、表示モニタ８に蓄電池部２が不適正である表示を行う機能を有している。判断部７は、電源装置１の蓄電池部２の点検時に蓄電池部２の負荷となる擬似負荷６と、前記充電器から蓄電池部２への充電から蓄電池部２から擬似負荷６への放電に切り替えるスイッチング素子と、該スイッチング素子の制御を行うマイクロコンピュータと、蓄電池部２を擬似負荷６に接続させた場合における電圧と、予め設定した所定電圧とを比較させるコンパレータとを備えて構成することができる。
【００５０】
また、防災用照明器具１０の点灯検査時に、擬似負荷６への電力の供給がされたままであると、蓄電池部２への充電がされず放電してしまうおそれがある。そのため、本実施形態の防災用照明器具１０の判断部７には、たとえば、２０分後や３０分後など所定時間が経過すると擬似負荷６から再び自動的に外部電源と接続させる、タイマー機能を設けて自動的に復旧させる機能を持たせることもできる。このようなタイマー機能は、判断部７のマイクロコンピュータを利用して適宜に構成すればよい。
【００５１】
本実施形態の電源装置１に用いられる表示モニタ８としては、蓄電池部２の状態が適正か否かを表示可能なものであって、判断部７からの出力に基づいて点検結果を表示することが可能なものであればよい。したがって、表示モニタ８としては、蓄電池部２の状態が適正時に、たとえば、緑色に点灯し不適正となった場合に赤色に点灯するＬＥＤランプなどを用いることもできるし、液晶表示装置で表示させることもできる。また、表示モニタ８は、必ずしも電源装置１自体に設ける必要もなく、判断部７で検査された蓄電池部２の状態の結果を、送信可能な送信部からリモートコントローラの表示部に表示させることで表示モニタ８を構成しても良い。なお、このような表示モニタ８は、無線だけでなく有線で行ってもよい。
【００５２】
本実施形態に用いられる防災用照明器具１０の表示パネルとしては、光源部３０からの光によって照射され視認性よく誘導表示が可能な避難口誘導灯や通路誘導灯に用いられる絵文字や絵単語などの視覚サインであるピトグラムが形成された誘導灯表示パネルなど適宜適正な表示が描画などされたものがあがられる。このような表示パネルは、必ずしも光源部３０からの光を透過させる透過型の表示パネルだけでなく、外部に設けられた光源部３０からの光を反射させる反射型の表示パネルで構成することもできる。
【００５３】
（実施形態２）
本実施形態の電源装置１の基本構成は、実施形態１と共通であるので、特徴となる部分について図２に基づいて説明する。なお、実施形態１と同様の構成要素には、同一の符号を付して説明を適宜省略する。
【００５４】
本実施形態の図２に示す電源装置１では、電源装置１の蓄電池部２と、点検開始入力部５、擬似負荷６、判断部７および表示モニタ８を備えた蓄電池部２の点検部１ａとを分離可能に構成させている。また、点検部１ａの判断部７には、リチウムイオン二次電池、ニッケル・水素電池、ニッケル・カドミウム蓄電池など蓄電池部２の二次電池の種類に応じた設定情報を予め保有する記憶装置（図示していない）を内蔵しており、予め使用する蓄電池部２の前記二次電池の種類に応じて選択して接続することができるように構成させている。
【００５５】
すなわち、判断部７は、ＥＥＰＲＯＭなどの記録装置を備え、リチウムイオン二次電池、ニッケル・水素電池、ニッケル・カドミウム蓄電池など点検部１ａと接続させる蓄電池部２の前記二次電池の種類ごとに応じた電池容量を判断するための設定電圧をそれぞれ前記記録装置に記憶させている。また、判断部７は、ディップスイッチの切替により、判断部７のコンパレータが蓄電池部２の測定値と、前記記憶装置に記憶させている二次電池の種類ごとの設定電圧の１種と比較できるように構成してある。これにより、電源装置１は、点検部１ａに蓄電池部２の二次電池の種類に応じた記録装置を備え、蓄電池部２の二次電池の種類に応じて電池容量を点検する判断部７の設定電圧を適宜に変更することができる。
【００５６】
したがって、本実施形態の電源装置１は、既設の防災用照明器具１０に用いられている様々な種類の二次電池と置き換えることができることに対応でき、点検部１ａに汎用性を持たせることが可能となる。なお、電源装置１の点検部１ａと、蓄電池部２とは、係合コネクタで電気的接続や着脱を適宜に行えるように構成されている。
【００５７】
言い換えれば、電源装置１のうち、蓄電池部２と分離された点検部１ａは、常時に外部電源から電力供給を受けて充電されるとともに、前記外部電源の異常時に防災用照明器具１０の光源部３０に電力を供給する充放電可能な蓄電池部２と電気的に接続させて、該蓄電池部２の電池容量を点検するものであって、防災用照明器具１０の点灯回路部に接続された電池線１９ａと電気的に接続する接続部３と、蓄電池部２の電池容量の点検を開始する点検開始信号を出力する点検開始入力部５と、蓄電池部２の点検のために該蓄電池部２に電気的に接続される擬似負荷６と、点検開始信号を受けて、接続部３から供給される電力で行われる蓄電池部２の充電を蓄電池部２から擬似負荷６への放電へと切り替えて、所定時間が経過したときの蓄電池部２の電圧を測定し、該電圧と予め設定した所定の電圧とを比較することで蓄電池部２の電池容量の適否を判断する判断部７と、該判断部７で判断した点検結果を表示する表示モニタ８とを有するものとすることができる。
【００５８】
（実施形態３）
本実施形態の電源装置１の基本構成は、実施形態１と共通であるので、特徴となる部分について図３ないし図４に基づいて説明する。なお、実施形態１と同様の構成要素には、同一の符号を付して説明を適宜省略する。
【００５９】
本実施形態の電源装置１が備えられる防災用照明器具１０として、図３（ｂ）に示す誘導灯は、天井や壁などの造営材に取り付けられ、避難誘導用の標識として用いられる。誘導灯たる防災用照明器具１０は、前面が開口する矩形箱状の器具本体１０ａと、器具本体１０ａの前面に設けられた開口部を閉塞するように該開口部の大部分を覆う矩形状の表示パネル２０と、表示パネル２０により覆われていない器具本体１０ａの残りの開口部を覆うように表示パネル２０の上縁に沿って配設された直管形の冷陰極ランプ（図示していない）が内蔵された光源部３０とを備えている。
【００６０】
器具本体１０ａは、合成樹脂成形品（たとえば、ＡＢＳ樹脂）であって、上側壁（図３（ｂ）中の上側）において中央部に外部電源が供給される電源線（図示していない）を器具本体１０ａの内部に導入するためのノックアウト１６ａが設けられている。天井材に防災用照明器具１０を固定させる場合、ノックアウト１６ａを間にして左右方向の両側に螺子挿通孔が設けられている。なお、図３（ｂ）中の防災用照明器具１０は、前記螺子挿入孔を挿通した固定螺子１５，１５により固定した例を示している。また、器具本体１０ａの底面（後面）において中央部の上方（図３（ｂ）中の上方）には、上記電源線を前記後面側から器具本体１０ａの内部に導入するためのノックアウト１６ｂが設けられ、ノックアウト１６ｂを間にして左右方向の両側にも固定螺子（図示していない）が挿通される螺子挿通孔１８が設けられている。すなわち、固定螺子１５を用いることによって器具本体１０ａを天井に取り付けることができ、また螺子挿通孔１８を用いて螺子止めすることにより、器具本体１０ａを壁面に取り付けることができる。
【００６１】
さらに、器具本体１０ａの左右両側の側壁の内側面には、光源部３０の左右方向の両端部に設けた係合端子３１が係合する係合コネクタ１４がそれぞれ設けられている。
【００６２】
ここで、器具本体１０ａの内部には、上記電源線を接続させる端子台１２や光源部３０への電力を供給するための電源装置１や光源部３０の点灯を制御する点灯回路部１１が収納されている。なお、器具本体１０ａの下側壁には、点灯回路部１１と電気的に接続され、電源装置１の蓄電池部２における点検時に外部電源を遮断し、電源装置１で光源部３０が点灯できるか否かの点検スイッチ１１ａが設けられている。また、器具本体１０ａの下側壁には、点灯回路部１１と電気的に接続され、点灯回路部１１のマイクロコンピュータによって光源部の点灯時間を計測し、累積時間で光源部３０の交換時期などを表示する表示部１１ｂ（たとえば、赤色ＬＥＤ）を好適に設けている。
【００６３】
また、上記電源線は、器具本体１０ａに設けられたノックアウト１６ａ又はノックアウト１６ｂを外して、器具本体１０ａの内部に導入され、端子台１２に接続している。防災用照明器具１０は、通常時には上記電源線を介して供給された外部電源が点灯回路部１１に供給され、電源装置１の蓄電池部２を充電する。また、防災用照明器具１０は、外部電源の停電時には電源装置１の蓄電池部２から放電して点灯回路部１１に電源が供給される。
【００６４】
光源部３０は、たとえば合成樹脂の成形品で形成され、器具本体１０ａの開口部の寸法と略同寸法に形成されている。光源部３０の左右方向の両端側において器具本体１０ａの各係合コネクタ１４に対応する部位には、係合コネクタ１４と係合する係合端子３１がそれぞれ突設している。なお、光源部３０の係合端子３１は、係合コネクタ１４に係合するとともに電気的に接続され、点灯回路部１１からの電力が供給されて点灯できるようになっている。
【００６５】
表示パネル２０は、前面側に人物を模したピクトグラムとなる表示パターン２１ａが形成された略矩形板状の表示部２１と、表示部２１の後面側に配設される略矩形板状の導光板２２とで構成されている。導光板２２は、たとえば透明なアクリル樹脂成形品であって、表示部２１と略同形状に形成され、後面側から適宜の取付手段により表示部２１に取り付けられるようになっている。この導光板２２では、光源部３０からの照射光が上端面から導光板２２内に入射し、導光板２２の前面（表示部２１側の面）から略均一に照射することができる。表示部２１は、たとえば合成樹脂成形品であって略矩形板状に形成され、前面側に、たとえば印刷された表示パターン２１ａが形成されている。
【００６６】
ここで、本実施形態の防災用照明器具１０に搭載された電源装置１は、実施形態１，２と同様に機能し、動作する。したがって、自動点検機能を内蔵していない既存の防災用照明器具１０でも、本実施形態の自動点検機能を備えた電源装置１を実装させることによって点検作業を簡略化することが可能となる。また、本実施形態の電源装置１の代わりに通常の単なる二次電池を搭載することもできる。
【００６７】
このような防災用照明器具１０は、たとえば、防火対象施設が新築の販売時点では、自動点検機能の搭載されていない電源装置１を搭載して販売することで防災用照明器具１０の価格を抑えることができる。また、防災用照明器具１０に、自動点検機能が搭載されていない単なる二次電池を搭載した状態では、点検者の点検作業性が悪くなる。そのため、点検者の点検作業性を改善などさせる場合には、単なる二次電池を本実施形態の電源装置１と交換すればよい。
【００６８】
また、図３に示す電源装置１の代わりに、図４に示す、始めから蓄電池部２を備えた電源パッケージ部１ｃとは別に、蓄電池部２の検査を行うことができる点検部１ａを収納する点検パッケージ部１ｄとを別途に形成し、矩形状の点検パッケージ部１ｄの一側辺側から突設した係止部１ｅ，１ｅと、電源パッケージ部１ｃの対向する一側辺側に設けられた係合孔部（図示していない）とを嵌め合わせて着脱自在の電源装置１とすることもできる。
【００６９】
すなわち、防災用照明器具１０の図３に示す電源装置１の蓄電池部２を、電源パッケージ１ｃと、電源判定部１ｄとを着脱自在に構成しておき、電源判定部１ｄを設けない場合でも、常時に外部電源から電力の供給を受けて充電されると共に、外部電源の異常時に防災用照明器具１０の光源部３０に電力を供給するように電源パッケージ１ｃを電気的に接続させている。図４に示す防災用照明器具１０は、点検部１ａが内蔵された点検パッケージ部１ｄを後付けできれば、点検者の作業性に応じて、防災用照明器具１０に自動点検機能を付けたり、付けなかったりすることを選択することが可能となる。そのため、本実施形態の電源装置１に、単に、点検部１ａを備えた点検パッケージ部１ｄを追加させるだけで、防災用照明器具１０に用いられる二次電池の点検作業の作業性を改善させることができる。
【００７０】
（実施形態４）
本実施形態の電源装置１の基本構成は、実施形態３と共通であるので、特徴となる部分について図５ないし図６に基づいて説明する。なお、実施形態３と同様の構成要素には、同一の符号を付して説明を適宜省略する。
【００７１】
本実施形態の図５に示す防災用照明器具１０に用いられる電源装置１の構成は、蓄電池部２の点検機能を内蔵した電源装置１が、蓄電池部２と、点検を開始する入力手段を備えた点検開始入力部５と、点検開始信号の入力を受けて、蓄電池部２を充電から放電へ切り替え、所定時間が経過したときの蓄電池部２の電圧を測定して、測定電圧が規定の電圧以上の場合、表示モニタ８に蓄電池部２が適正である表示を行う。また、前記点検開始信号の入力を受けて、蓄電池部２に対して充電から放電へ切り替え、所定時間が経過したときの蓄電池部２の電圧を測定して、測定電圧が規定の電圧よりも低ければ、表示モニタ８に蓄電池部２が不適格である表示を行う機能を有した判断部７と、上記の点検結果を表示する表示モニタ８とから構成している。
【００７２】
なお、本実施形態の防災用照明器具１０も実施形態３の図３（ｂ）に示す防災用照明器具１０と同様に、ランプたる光源部３０、光源部３０を点灯させる点灯回路部１１や電源装置１を組み込んだ器具本体１０ａと、避難口や通路などを表示する表示部２１を備えた表示パネル２０で構成されている。
【００７３】
本実施形態４の防災用照明器具１０は、蓄電池部２を点検する場合、防災用照明器具１０を手動やリモートコントローラなどで点検を開始させて、防災用照明器具１０の光源部３０に蓄電池部２の電力を放電させ、所定時間経過後の蓄電池部２の電圧を測定する。判断部７は、蓄電池部２の測定した電圧を、予め設定している所定の電圧値とコンパレータで比較することで、蓄電池部２の電池容量が適正か否かを点検することができる。
【００７４】
ここで、本実施形態の電源装置１として、実施形態３の電源装置１を用いた防災用照明器具１０との違いは、本実施形態の電源装置１が擬似負荷６で蓄電池部２を放電させ、蓄電池部２の電圧を点検するのではなく、防災用照明器具１０のランプたる光源部３０を点灯させて蓄電池部２の電池容量を点検している。すなわち、実施形態３の電源装置１は、自動点検機能を備えていない既設の防災用照明器具１０の二次電池と置き換えて、蓄電池部１２の電池容量を自動点検機能を備えさせるために、電源線１９と接続される電源装置１側に擬似負荷６を備えているのに対し、本実施形態の電源装置１は、予め自動点検機能を備えていない新設の防災用照明器具１０として、防災用照明器具１０に予め光源部３０を点検できる構成としている。これにより、防災用照明器具１０は、電源装置１の蓄電池部２の充電が適正値を保っているか否かを点検することができると同時に、防災用照明器具１０のランプたる光源部３０の状態も点検することができる。なお、本実施形態の電源装置１の別の例として、図６に示すように電源パッケージ１ｃと、電源パッケージ１ｃは別に蓄電池部２の点検を行う点検部１ａが収納された点検パッケージ１ｄとを別体に形成させてもよい。
【００７５】
（実施形態５）
本実施形態の防災用照明器具１０に用いられる電源装置１の基本構成は、実施形態４と共通であるので、特徴となる部分について図７および図８に基づいて説明する。なお、実施形態４と同様の構成要素には、同一の符号を付して説明を適宜省略する。
【００７６】
本実施形態の図７に示す防災用照明器具１０に用いられる電源装置１は、図５に示す実施形態４の防災用照明器具１０に用いられる電源装置１に、信号線や電力線を用いた有線式、赤外線や電場を利用した無線式などで防災用照明器具１０とは別にある制御装置４０と通信できる通信部９を点検開始入力部５に接続させた点が異なる。
【００７７】
すなわち、本実施形態の防災用照明器具１０に用いられる電源装置１は、制御装置４０が防災用照明器具１０に対して点検を開始させる点検命令信号を信号線４０ａを介して送信することにより、電源装置１の通信部９で点検命令信号を受信し、点検開始入力部５を働かせる。電源装置１は、点検開始入力部５からの点検開始信号により、判断部７が蓄電池部２の点検を行う。
【００７８】
また、判断部７で判断した蓄電池部２の点検結果は、電源装置１の点検開始入力部５および通信部９を通って、前記点検命令信号の伝送とは逆に、防災用照明器具１０から信号線４０ａを介して制御装置４０に送られる。ここで、制御装置４０においては、電源装置１で点検した蓄電池部２の点検結果を表示する表示部４０ｂを備えている（図７（ｃ）を参照）。
【００７９】
制御装置４０の表示部４０ｂには、防災用照明器具１０に用いられる電源装置１の蓄電池部２、光源部３０、通信部９の異常や寿命切れが発生した際にＬＥＤなどのモニタ点灯で報知する表示灯を備えている。また、制御装置４０は、複数個の防災用照明器具１０を制御する場合、制御装置４０の表示部４０ｂに、複数個の防災用照明器具１０の中から異常が発生した防災用照明器具１０を特定する確認スイッチやアドレス表示部（図示していない）などを備えることができる。これにより、本実施形態の防災用照明システムは、制御装置４０が通信部９を備えた複数個の防災用照明器具１０を集中監視することができる。なお、本実施形態に用いられる電源装置１は、図８に示すように、電池電源部２を通信部９を備えた点検部１ｄと分離可能に構成させることもできる。
【００８０】
いいかえれば、本実施形態の防災用照明システムは、複数個の自動点検機能つき防災用照明器具１０と接続でき、点検命令信号の送信および点検結果の受信を行う通信装置と、前記点検結果の表示を行う表示部４０ｂとを備えた制御装置４０に接続される点検開始入力部５は、制御装置４０からの点検命令信号により蓄電池部２の点検を開始させ、点検結果を表示モニタ８へ表示させるとともに制御装置４０へ送信することになる。
【００８１】
ところで、防災用照明器具１０として、遠隔で点検できるものは、全数、自動的に点検することができるため、点検作業という観点では非常に効果が大きい。
【００８２】
しかしながら、防災用照明器具１０を設置するための初期費用が高額になる傾向にあり、防災用照明システムを導入することが設置予定者に敬遠される傾向にある。逆に、防災用照明器具１０の点検者としては、新築などで防災用照明システムが採用されていると、点検費用は大きく削減される場合がある。そのため、点検者側にとっても防災用照明システムの導入が敬遠され、通信部９を備えた防災用照明器具１０が世の中に広まりにくい現状にある。
【００８３】
本実施形態の照明器具システムは、新築などで防災用照明器具１０を購入して設置する場合、二次電池や光源部３０を点検する点検機能がない、あるいは、個別の点検の機能だけ搭載された既存の防災用照明器具１０を設置させ、通信部９を後付けすることもできる。すなわち、防災用照明器具１０の点検者が、防災用照明器具１０に別途通信部９を取り付けたほうが、点検作業として効率的と判断した場合には、点検者の判断で通信部９を後付けすることもできる。
【符号の説明】
【００８４】
１  電源装置
２  蓄電池部
３  接続部
５  点検開始入力部
６  擬似負荷
７  判断部
８  表示モニタ
９  通信部
１０  防災用照明器具
１０ａ  器具本体
１９ａ  電池線
２１  表示パネル
３０  光源部
４０  制御装置
４０ｂ  表示器
【図１】
0005584460.tif 000002
【図２】
0005584460.tif 000003
【図３】
0005584460.tif 000004
【図４】
0005584460.tif 000005
【図５】
0005584460.tif 000006
【図６】
0005584460.tif 000007
【図７】
0005584460.tif 000008
【図８】
0005584460.tif 000009
【図９】
0005584460.tif 000010